(57)【特許請求の範囲】
【請求項１】
共通の供給接続に結合され、前記共通の供給接続に供給源によって供給される供給電圧を受信するように構成された複数の増幅器と、
前記共通の供給接続に結合され、前記複数の増幅器に関連付けられた複数の切り替え可能なバイパスキャパシタと、前記複数の切り替え可能なバイパスキャパシタの各々が、前記複数の増幅器のうちの関連する増幅器の動作状態に基づいて、前記共通の供給接続に接続され、または切断される、
を備え、
ここにおいて、前記複数の切り替え可能なバイパスキャパシタの各々が、前記複数の増幅器のうちの１つに関連付けられており、各切り替え可能なバイパスキャパシタが、前記関連する増幅器が使用可能にされると、前記共通の供給接続に接続され、前記関連する増幅器が使用不能にされると、前記共通の供給接続から切断される、
装置。
【請求項２】
前記供給源が、前記共通の供給接続に可変供給電圧を供給するように構成されたエンベロープトラッカを備える、請求項１に記載の装置。
【請求項３】
前記共通の供給接続に結合される固定バイパスキャパシタ
をさらに備える、請求項１および２のうちのいずれか１つに記載の装置。
【発明の詳細な説明】
【技術分野】
【０００１】
[0001]本開示は、一般に電子工学に関し、より詳細には、増幅器のための供給電圧をバイパスするための技法に関する。
【背景技術】
【０００２】
[0002]増幅器は、所望の信号レベルを取得するために信号を増幅するために一般的に使用される。また、増幅器は、たとえば通信、コンピューティング、ネットワーキング、家電製品など、様々な用途のために広く使用される。また、様々なタイプの増幅器が様々な目的のために使用される。たとえば、ワイヤレス通信デバイスは、ワイヤレスチャネルを介した送信の前に信号を増幅するために送信機に電力増幅器（ＰＡ）を含み、ワイヤレスチャネルを介して受信される信号を増幅するために受信機に低雑音増幅器（ＬＮＡ）を含むことができる。
【０００３】
[0003]増幅器は、一般的に、増幅器の動作をサポートする供給電圧を供給する電力供給源に接続される。理想的には、電力供給源は、ゼロ出力インピーダンスを有するものとし、供給電圧は、直流電流（ＤＣ）電圧のみを含み、望ましくない信号またはノイズを含まないものとする。しかしながら、電力供給源の出力インピーダンスはゼロでなく、供給電圧は、一般的に、若干の望ましくない信号およびノイズを含む。電力供給源および供給電圧のこれらの非理想の特徴は、増幅器の性能に悪影響を及ぼし得る。
【図面の簡単な説明】
【０００４】
【図１】[0004]異なるワイヤレス通信システムと通信することが可能なワイヤレスデバイスを示す図。
【図２】[0005]図１のワイヤレスデバイスのブロック図。
【図３】[0006]送信機のブロック図。
【図４】[0007]調整可能な供給電圧バイパスを備える送信機のブロック図。
【図５Ａ】[0008]調整可能な供給電圧バイパスを備える送信機のある例示的な設計のブロック図。
【図５Ｂ】調整可能な供給電圧バイパスを備える送信機の別の例示的な設計のブロック図。
【図５Ｃ】調整可能な供給電圧バイパスを備える送信機のさらに別の例示的な設計のブロック図。
【図６Ａ】[0009]調整可能なバイパス回路のある例示的な設計の概略図。
【図６Ｂ】調整可能なバイパス回路の別の例示的な設計の概略図。
【図６Ｃ】調整可能なバイパス回路のさらに別の例示的な設計の概略図。
【図６Ｄ】調整可能なバイパス回路のさらに別の例示的な設計の概略図。
【図７Ａ】[0010]電力増幅器のための固定供給電圧の使用を示す図。
【図７Ｂ】[0011]電力増幅器のための可変供給電圧の使用を示す図。
【図８】[0012]エンベロープトラッカと調整可能な供給電圧バイパスとを備える送信機のブロック図。
【図９】[0013]共通の供給接続に接続され、調整可能なバイパスキャパシタンスを有する複数の電力増幅器を備える送信機のブロック図。
【図１０】[0014]増幅器のための供給電圧をバイパスするためのプロセスを示す図。
【発明を実施するための形態】
【０００５】
[0015]以下に記載する詳細な説明は、本開示の例示的な設計を説明するものであり、本開示が実施され得る唯一の設計を表すものではない。「例示的」という用語は、本明細書では「例、事例、または例示の働きをすること」を意味するために使用する。「例示的」として本明細書で説明するいかなる設計も、必ずしも他の設計よりも好ましいまたは有利であると解釈されるべきではない。発明を実施するための形態は、本開示の例示的な設計の完全な理解を与えるための具体的な詳細を含む。本明細書に記載された例示的な設計は、これらの具体的な詳細なしに実践され得ることが、当業者には明らかであろう。いくつかの例では、本明細書で提示された例示的な設計の新規性を不明瞭にしないために、よく知られている構造およびデバイスがブロック図の形式で示される。
【０００６】
[0016]増幅器のための供給電圧をバイパスするための技法が本明細書で開示される。バイパスとは、ノイズおよび／または望ましくない信号を低減／減衰させるための供給電圧のフィルタ処理を指す。本明細書で説明する技法は、たとえば電力増幅器、ドライバ増幅器、可変利得増幅器、低雑音増幅器など、様々なタイプの増幅器のために使用され得る。技法は、たとえばワイヤレス通信デバイス、コンピューティングデバイス、コンシューマー電子デバイスなど、様々な電子デバイスのためにも使用され得る。明快のために、ワイヤレス通信デバイスのための技法の使用について以下で説明する。
【０００７】
[0017]図１は、異なるワイヤレス通信システム１２０および１２２と通信することが可能なワイヤレスデバイス１１０を示す。ワイヤレスシステム１２０および１２２は、それぞれ、符号分割多元接続（ＣＤＭＡ）システム、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））システム、Ｌｏｎｇ  Ｔｅｒｍ  Ｅｖｏｌｕｔｉｏｎ（ＬＴＥ）システム、ワイヤレスローカルエリアネットワーク（ＷＬＡＮ）システム、または何らかの他のワイヤレスシステムであり得る。ＣＤＭＡシステムは、広帯域ＣＤＭＡ（ＷＣＤＭＡ（登録商標））、ｃｄｍａ２０００、またはＣＤＭＡの何らかの他のバージョンを実装し得る。簡単のために、図１に、１つの基地局１３０と１つのシステムコントローラ１４０とを含むワイヤレスシステム１２０と、１つの基地局１３２と１つのシステムコントローラ１４２とを含むワイヤレスシステム１２２とを示す。概して、各ワイヤレスシステムは、任意の数の基地局と、ネットワークエンティティの任意のセットとを含み得る。
【０００８】
[0018]ワイヤレスデバイス１１０は、ユーザ機器（ＵＥ）、移動局、端末、アクセス端末、加入者ユニット、局などと呼ばれることもある。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈ（登録商標）デバイスなどであり得る。ワイヤレスデバイス１１０はワイヤレスシステム１２０および／または１２２と通信することが可能であり得る。ワイヤレスデバイス１１０はまた、放送局（たとえば、放送局１３４）から信号を受信することが可能であり得る。ワイヤレスデバイス１１０はまた、１つまたは複数のグローバルナビゲーション衛星システム（ＧＮＳＳ）内の衛星（たとえば、衛星１５０）から信号を受信することが可能であり得る。ワイヤレスデバイス１１０は、ＬＴＥ、ｃｄｍａ２０００、ＷＣＤＭＡ、ＧＳＭ、８０２．１１など、ワイヤレス通信のための１つまたは複数の無線技術をサポートし得る。
【０００９】
[0019]図２は、図１のワイヤレスデバイス１１０の例示的な設計のブロック図を示す。この例示的な設計では、ワイヤレスデバイス１１０は、データプロセッサ／コントローラ２１０と、アンテナ２５４に結合されたトランシーバ２２０と、供給源２７０とを含む。図２に示される例示的な設計では、トランシーバ２２０は、Ｍ個のトランシーバ２３０ａ〜２３０ｍと、Ｍ個の受信機２６０ａ〜２６０ｍとを含み、ここでは、Ｍは、任意の整数値とすることができる。概して、トランシーバは、任意の数の周波数帯域と、任意の数の無線技術と、任意の数のアンテナとにおけるワイヤレス通信をサポートするための任意の数の送信機と任意の数の受信機とを含み得る。
【００１０】
[0020]図２に示す例示的な設計では、各送信機２３０は、送信回路２３２と、電力増幅器（ＰＡ）２４０と、出力回路２５０とを含む。データ送信では、データプロセッサ２１０は、送信されるべきデータを処理（たとえば、符号化および変調）し、選択された送信機にアナログ出力信号を与える。以下の説明では、送信機２３０ａが選択された送信機であると仮定する。送信機２３０ａ内で、送信回路２３２ａは、アナログ出力信号を増幅し、フィルタ処理し、ベースバンドから無線周波数（ＲＦ）にアップコンバートし、変調ＲＦ信号を与える。送信回路２３２ａは、増幅器、フィルタ、ミキサ、インピーダンス整合回路、発振器、局部発振器（ＬＯ）生成器、位相ロックループ（ＰＬＬ：phase locked loop）などを含み得る。電力増幅器２４０ａは、変調ＲＦ信号を受信し、増幅し、適切な出力電力レベルを有する増幅ＲＦ信号を供給する。出力回路２５０ａは、電力増幅器２４０ａから増幅ＲＦ信号を受信し、出力ＲＦ信号を供給する。出力回路２５０ａは、送信フィルタ、インピーダンス整合回路、方向性結合器などを含み得る。出力ＲＦ信号は、スイッチプレクサ／デュプレクサ２５２を通ってルーティングされ、アンテナ２５４を介して送信され得る。
【００１１】
[0021]図２に示す例示的な設計では、各受信機２６０は、入力回路２６２と、ＬＮＡ２６４と、受信回路２６６とを含む。データ受信では、アンテナ２５４は、基地局および／または他の送信機局から信号を受信し、受信ＲＦ信号を与え、その受信ＲＦ信号は、スイッチプレクサ／デュプレクサ２５２を介してルーティングされ、選択された受信機に与えられる。以下の説明では、受信機２６０ａが選択された受信機であると仮定する。受信機２６０ａ内で、入力回路２６２ａは、受信ＲＦ信号を処理し、受信機入力信号を供給する。入力回路２６２ａは、受信フィルタ、インピーダンス整合回路などを含み得る。ＬＮＡ２６４ａは、入力回路２６２ａからの受信機入力信号を増幅し、ＬＮＡ出力信号を与える。受信回路２６６ａは、ＬＮＡ出力信号を増幅し、フィルタ処理し、ＲＦからベースバンドにダウンコンバートし、データプロセッサ２１０にアナログ入力信号を与える。受信回路２６６ａは、増幅器、フィルタ、ミキサ、インピーダンス整合回路、発振器、ＬＯ生成器、ＰＬＬなどを含み得る。
【００１２】
[0022]図２は、送信機２３０および受信機２６０の例示的な設計を示す。送信機および受信機はまた、フィルタ、インピーダンス整合回路など、図２に示されていない他の回路を含み得る。トランシーバ２２０の全部または一部分が、１つまたは複数のアナログ集積回路（ＩＣ）、ＲＦ  ＩＣ（ＲＦＩＣ）、混合信号ＩＣなどに実装され得る。たとえば、送信回路２３２、電力増幅器２４０、ＬＮＡ２６４、および受信回路２６６は、ＲＦＩＣに実装され得る。電力増幅器２４０、ならびに場合によっては他の回路は、別々のＩＣまたは回路モジュールに実装することもできる。
【００１３】
[0023]データプロセッサ／コントローラ２１０は、ワイヤレスデバイス１１０のための様々な機能を実行し得る。たとえば、データプロセッサ２１０は、送信機２３０を介して送信され、受信機２６０を介して受信されるデータ用の処理を実行することができる。コントローラ２１０は、送信回路２３２、受信回路２６６、スイッチプレクサ／デュプレクサ２５２などの動作を制御することができる。メモリ２１２は、データプロセッサ／コントローラ２１０のプログラムコードとデータとを記憶することができる。データプロセッサ／コントローラ２１０は、１つまたは複数の特定用途向け集積回路（ＡＳＩＣ）および／または他のＩＣに実装され得る。
【００１４】
[0024]供給源２７０は、バッテリー（図２に図示せず）からバッテリー電圧（Ｖｂａｔ）、および／または外部供給源から線間電圧（Ｖｌｉｎｅ）を受信し得る。供給源２７０は、トランシーバ２２０内の様々な回路のための固定供給電圧（Ｖｄｄ）および／または可変供給電圧を生成することができる。供給源２７０は、データプロセッサ／コントローラ２１０および／またはトランシーバ２２０内の他の回路のための他の供給電圧を生成することもできる。
【００１５】
[0025]図３は、送信機３３０の例示的な設計のブロック図を示す。簡単のために、図３には送信機３３０内にいくつかの回路のみが示される。送信機３３０は、電力増幅器３４０と、出力回路３５０と、負荷３６０と、電力供給源３７０と、バイパスキャパシタ３７２とを含む。電力増幅器３４０は、入力ＲＦ信号（ＲＦｉｎ）を受信し、増幅し、増幅ＲＦ信号（ＲＦａｍｐ）を供給する。出力回路３５０は、増幅ＲＦ信号を受信し、出力ＲＦ信号（ＲＦｏｕｔ）を負荷３６０に供給する。負荷３６０は、アンテナ、スイッチプレクサ、デュプレクサなどを含み得る。
【００１６】
[0026]電力供給源３７０は、電力増幅器３４０のための固定供給電圧（Ｖｄｄ）を生成する。バイパスキャパシタ３７２は、電力供給源３７０と回路接地との間に結合され、電力増幅器３４０に供給されるＶｄｄ電圧の望ましくない信号およびノイズをフィルタ処理するために使用される。電力供給源３７０は、電力供給源を調べるインピーダンスであるＺｐｓの出力インピーダンスを有する。電力供給源３７０の出力インピーダンスは、一般的に、数百メガヘルツ（ＭＨｚ）でインダクタのように見える。これは、出力インピーダンスが主に虚数であることを意味し、その大きさは、ある周波数範囲内の周波数に比例して増大する。このインダクタは、バイパスキャパシタ３７２と結合されているとき、共振を生成し得る。バイパスキャパシタのインピーダンスと結合されているとき、電力供給インピーダンスの出力インピーダンスのために共振が起こり、大きさが、ある共振周波数のあたりで非常に急速に増大する等価インピーダンスが生成される。共振は、電力増幅器３４０の性能に悪影響を及ぼし得る。たとえば、電力増幅器３４０は、共振のために低周波数不安定性を呈し得る。
【００１７】
[0027]図４は、調整可能な供給電圧バイパスを備える送信機４３０の例示的な設計のブロック図を示す。送信機４３０は、増幅器（Ａｍｐ）４４０と、供給源４７０と、調整可能なバイパス回路４８０とを含む。増幅器４４０は、入力信号を受信し、増幅し、増幅信号を供給する。供給源４７０は、増幅器４４０のための供給電圧を生成する。調整可能なバイパス回路４８０は、供給電圧のバイパスを実行し、少なくとも１つの調整可能な回路要素を含む。
【００１８】
[0028]一般に、調整可能なバイパス回路は、増幅器の安定性および性能を向上させるために、様々なタイプの増幅器のために使用され得る。明快のために、電力増幅器のための調整可能なバイパス回路の使用について以下で説明する。
【００１９】
[0029]図５Ａは、調整可能な供給電圧バイパスを備える送信機５３０ａの例示的な設計のブロック図を示す。送信機５３０ａは、電力増幅器５４０と、出力回路５５０と、負荷５６０と、電力供給源５７０と、調整可能なバイパス回路５８０ａとを含む。調整可能なバイパス回路５８０ａは、図４の調整可能なバイパス回路４８０の１つの例示的な設計である。電力増幅器５４０は、入力ＲＦ信号（ＲＦｉｎ）を受信し、増幅し、増幅ＲＦ信号（ＲＦａｍｐ）を供給する。出力回路５５０は、増幅ＲＦ信号を受信し、出力ＲＦ信号（ＲＦｏｕｔ）を負荷５６０に供給する。電力増幅器５４０は、図２の電力増幅器２４０ａ〜２４０ｍのいずれかとすることができる。出力回路５５０は、図２の出力回路２５０ａ〜２５０ｍのいずれかとすることができる。負荷５６０は、図２のスイッチプレクサ／デュプレクサ２５２および／またはアンテナ２５４を含み得る。
【００２０】
[0030]電力供給源５７０は、電力増幅器５４０のための固定供給電圧（Ｖｄｄ）を生成する。調整可能なバイパス回路５８０ａは、電力供給源５７０からのＶｄｄ電圧のバイパスを実行する。図５Ａに示す例示的な設計では、調整可能なバイパス回路５８０ａは、電力供給源５７０と回路接地との間に結合される調整可能なキャパシタ５８２を含み、電力増幅器５４０に供給されるＶｄｄ電圧の望ましくない信号およびノイズをフィルタ処理するために使用される。電力供給源５７０は、ＺPSの出力インピーダンスを有し、数百ＭＨｚで誘導性に見え得る。バイパスキャパシタ５８２は、可変であるＣvarの静電容量を有する。共振回路は、電力供給源５７０とバイパスキャパシタ５８２との誘導性の出力インピーダンスによって形成され得る。共振回路は、以下として表され得るｆresonanceの共振周波数を有する。
【数１】
0005859685.tif 000002
【００２１】
[0031]式（１）に示すように、電力供給源５７０とバイパスキャパシタ５８２との出力インピーダンスによって形成される共振回路の共振周波数は、バイパスキャパシタ５８２を調整することによって変わり得る。電力増幅器５４０の安定性および良好な性能が達成され得るように、共振周波数は変わり得る。
【００２２】
[0032]電力供給源５７０の出力インピーダンスを予測することが困難であり得るので、コンピュータシミュレーションでの電力増幅器５４０のための最適な共振周波数を決定することは困難であり得る。調整可能なバイパスキャパシタ５８２は、電力増幅器５４０の安定性および良好な性能を得るために、共振周波数のチューニングを可能にすることができる。
【００２３】
[0033]図５Ｂは、調整可能な供給電圧バイパスを備える送信機５３０ｂの例示的な設計のブロック図を示す。送信機５３０ｂは、電力増幅器５４０と、出力回路５５０と、負荷５６０と、電力供給源５７０と、調整可能なバイパス回路５８０ｂとを含む。調整可能なバイパス回路５８０ｂは、図４の調整可能なバイパス回路４８０の別の例示的な設計である。調整可能なバイパス回路５８０ｂは、直列に結合された固定キャパシタ５８４と加減抵抗器５８６とを含み、直列の結合が電力供給源５７０と回路接地との間に結合されている。
【００２４】
[0034]電力供給源５７０は、誘導性であり得るＺPSの出力インピーダンスを有する。バイパスキャパシタ５８４は、Ｃfixedの固定静電容量を有する。抵抗器５８６は、可変であるＲvarの抵抗を有する。損失性の共振回路は、電力供給源５７０の出力インピーダンスと、バイパスキャパシタ５８４と、抵抗器５８６とによって形成され得る。ＣvarがＣfixedと置き換えられるが、損失性の共振回路の共振周波数は、式（１）に示すように決定され得る。損失性の共振回路の品質因子（Ｑ）は、以下として表される。
【数２】
0005859685.tif 000003
【００２５】
[0035]式（２）に示すように、損失性の共振回路のＱは、可変抵抗器５８６を調整することによって変わり得る。たとえば、Ｑは、抵抗器５８６の抵抗を増加させることによって低減され得る。バイパスキャパシタ５８４のＱを低減することは、電力増幅器５４０の安定性を向上させ得るが、電力増幅器５４０の性能（たとえば、効率）に悪影響を及ぼし得る。電力増幅器５４０の安定性および良好な性能を得るために、加減抵抗器５８６は、損失性の共振回路のために適切なＱが選択されることを可能にすることができる。
【００２６】
[0036]図５Ｃは、調整可能な供給電圧バイパスを備える送信機５３０ｃの例示的な設計のブロック図を示す。送信機５３０ｃは、電力増幅器５４０と、出力回路５５０と、負荷５６０と、電力供給源５７０と、調整可能なバイパス回路５８０ｃとを含む。調整可能なバイパス回路５８０ｃは、図４の調整可能なバイパス回路４８０のさらに別の例示的な設計である。調整可能なバイパス回路５８０ｃは、直列に結合された調整可能なキャパシタ５９２と加減抵抗器５９４とを含み、直列の結合が電力供給源５７０と回路接地との間に結合されている。
【００２７】
[0037]電力供給源５７０は、誘導性であり得るＺPSの出力インピーダンスを有する。バイパスキャパシタ５９２は、可変であるＣvarの静電容量を有する。抵抗器５９４は、可変であるＲvarの抵抗を有する。損失性の共振回路は、電力供給源５７０の出力インピーダンスと、バイパスキャパシタ５９２と、抵抗器５９４とによって形成され得る。損失性の共振回路の共振周波数は、式（１）に示すように決定され得る。損失性の共振回路のＱは、式（２）に示すように決定され得る。式（１）に示すように、共振周波数は、可変キャパシタ５９２を調整することによって変わり得る。式（２）に示すように、Ｑは、可変抵抗器５９４および／または可変キャパシタ５９２を調整することによって変わり得る。電力増幅器５４０の安定性および良好な性能が達成され得るように、共振周波数および／またはＱは変わり得る。
【００２８】
[0038]図５Ａ〜図５Ｃは、調整可能な供給電圧バイパスを提供することができる調整可能なバイパス回路の３つの例示的な設計を示す。調整可能なバイパス回路は、他の方法で実装することもできる。たとえば、大きい抵抗器は、電力供給源と回路接地との間に、図５Ａの調整可能なキャパシタ５８２と並列に結合され得る。別の例として、固定バイパスキャパシタは、電力供給源と回路接地との間に、図５Ｂのキャパシタ５８４と抵抗器５８６との直列結合と並列に結合され得る。
【００２９】
[0039]図５Ａ〜図５Ｃに示すように、供給源（たとえば、電力供給源５７０）のバイパス回路（たとえば、バイパス回路５８０ａ、５８０ｂ、または５８０ｃ）は、供給源に結合される増幅器（たとえば、電力増幅器５４０）の性能（たとえば、直線性、効率など）および安定性を向上させるために、少なくとも１つの調整可能な回路要素（たとえば、調整可能なキャパシタ５８２もしくは５９２、および／または加減抵抗器５８４もしくは５９４）を含むことができる。一般に、調整可能な回路要素は、調整可能なキャパシタ、加減抵抗器、または調整可能なインダクタとすることができる。供給源およびバイパスキャパシタの誘導性の出力インピーダンスのために、共振周波数および／または共振のＱを変更するために、調整可能な回路要素が変わり得る。
【００３０】
[0040]図５Ａ〜図５Ｃの調整可能なバイパス回路は、様々な方法で実装され得る。図５Ａ〜図５Ｃの調整可能なバイパス回路のいくつかの例示的な設計について以下で説明する。
【００３１】
[0041]図６Ａは、調整可能なバイパス回路５８０ｄの概略図を示し、これは、図５Ａの調整可能なバイパス回路５８０ａの例示的な設計である。図６Ａに示す例示的な設計では、調整可能なバイパス回路５８０ｄは、電力供給源５７０と回路接地との間に結合された調整可能なキャパシタ５８２ａを含む。調整可能なキャパシタ５８２ａは、Ｎ個の切り替え可能なキャパシタ６１２ａ〜６１２ｎで実装され、この場合、Ｎは、任意の整数値である。各切り替え可能なキャパシタ６１２は、スイッチ６１４と直列に結合され、キャパシタ６１２とスイッチ６１４との直列結合は、電力供給源５７０と回路接地との間に結合される。Ｎ個のスイッチ６１４ａ〜６１４ｎは、それぞれＮ個の制御信号Ｓ1〜ＳNを受信する。各スイッチ６１４は、（ｉ）関連のキャパシタ６１２を電力供給源５７０に接続するために、その制御信号に基づいて閉じられ得る、または（ｉｉ）電力供給源５７０から関連するコンデンサ６１２を切断するために、その制御信号に基づいて開かれ得る。スイッチ６１４は、電界効果トランジスタ（ＦＥＴ）または他のタイプのトランジスタで実装され得る。
【００３２】
[0042]１つの例示的な設計では、Ｎ個のキャパシタ６１２ａ〜６１２ｎは、Ｃの同じ容量値を有し得る。別の例示的な設計では、Ｎ個のキャパシタ６１２ａ〜６１２ｎは、たとえば、２進の重み付けでは、Ｃ、２Ｃ、４Ｃなど、異なる容量値を有し得る。一般に、Ｎ個のキャパシタ６１２ａ〜６１２ｎは、任意の適した値を有し得る。
【００３３】
[0043]図６Ａは、調整可能なキャパシタ５８２ａがＮ個の切り替え可能なキャパシタ６１２で実装される例示的な設計を示す。これによって、調整可能なキャパシタ５８２ａは、ゼロを含む容量値の範囲にわたって可変とすることができる。別の例示的な設計では、固定バイパスキャパシタも、電力供給源５７０と回路接地との間に結合され得る。すべての切り替え可能なキャパシタ６１２が切断されると、固定バイパスキャパシタは、調整可能なキャパシタ５８２ａの最小の静電容量を提供することができる。
【００３４】
[0044]図６Ｂは、調整可能なバイパス回路５８０ｅの概略図を示し、これは、図５Ｂの調整可能なバイパス回路５８０ｂの例示的な設計である。図６Ｂに示す例示的な設計では、調整可能なバイパス回路５８０ｅは、（ｉ）電力供給源５７０とノードＡとの間に結合された固定キャパシタ５８４、および（ｉｉ）ノードＡと回路接地との間に結合された加減抵抗器５８６ａを含む。加減抵抗器５８６ａは、それぞれ、Ｎ個のスイッチ６２４ａ〜６２４ｎに結合されたＮ個の抵抗器６２２ａ〜６２２ｎで実装され、この場合、Ｎは、任意の整数値とすることができる。抵抗器６２２とスイッチ６２４との各直列結合は、ノードＡと回路接地との間に結合される。Ｎ個のスイッチ６２４ａ〜６２４ｎは、それぞれＮ個の制御信号Ｒ1〜ＲNを受信する。各スイッチ６２４は、（ｉ）関連する抵抗器６２２を選択するために、その制御信号に基づいて閉じられ得る、または（ｉｉ）関連する抵抗器６２２を非選択にするために、その制御信号に基づいて開かれ得る。
【００３５】
[0045]１つの例示的な設計では、Ｎ個の抵抗器６２２ａ〜６２２ｎは、Ｒの同じ抵抗値を有し得る。別の例示的な設計では、Ｎ個の抵抗器６２２ａ〜６２２ｎは、たとえば、２進の重み付けでは、Ｒ、２Ｒ、４Ｒなど、異なる抵抗値を有し得る。一般に、Ｎ個の抵抗器６２２ａ〜６２２ｎは、任意の適した値を有し得る。
【００３６】
[0046]図６Ｃは、調整可能なバイパス回路５８０ｆの概略図を示し、これは、図５Ｂの調整可能なバイパス回路５８０ｂの別の例示的な設計である。図６Ｃに示す例示的な設計では、調整可能なバイパス回路５８０ｆは、（ｉ）電力供給源５７０とノードＡとの間に結合された固定キャパシタ５８４、および（ｉｉ）ノードＡと回路接地との間に結合された加減抵抗器５８６ｂを含む。加減抵抗器５８６ｂは、Ｎ個のＮチャネル金属酸化膜半導体（ＮＭＯＳ）トランジスタ６３２ａ〜６３２ｎで実装され、この場合、Ｎは、任意の整数値とすることができる。各ＮＭＯＳトランジスタ６３２は、回路接地に結合されたそのソースと、ノードＡに結合されたそのドレインと、そのＮＭＯＳトランジスタのための制御信号を受信するそのゲートを有する。Ｎ個のＮＭＯＳトランジスタ６３２ａ〜６３２ｎは、それぞれＮ個の制御信号Ｒ1〜ＲNを受信する。各ＮＭＯＳトランジスタ６３２は、（ｉ）ノードＡと回路接地との間に適切なオン抵抗を提供するために、その制御信号に基づいてオンにされ得る、または（ｉｉ）ノードＡと回路接地との間に大きい抵抗を提供するために、その制御信号に基づいてオフにされ得る。
【００３７】
[0047]１つの例示的な設計では、Ｎ個のＮＭＯＳトランジスタ６３２ａ〜６３２ｎは、Ｗ／Ｌの同じトランジスタサイズを有することができ、この場合、Ｗは幅であり、Ｌはトランジスタの長さである。より大きいトランジスタサイズは、より小さいオン抵抗を提供し、その逆も同様であり得る。別の例示的な設計では、Ｎ個のＮＭＯＳトランジスタ６３２ａ〜６３２ｎは、たとえば、２進の重み付けでは、Ｗ1／Ｌ1、Ｗ2／Ｌ2、…、ＷN／ＬNなど、異なるトランジスタサイズを有し得る。一般に、Ｎ個のＮＭＯＳトランジスタ６３２ａ〜６３２ｎは、任意の適したサイズを有することができ、これは、所望のオン抵抗に基づいて決定され得る。
【００３８】
[0048]図６Ｄは、調整可能なバイパス回路５８０ｇの概略図を示し、これは、図５Ｃの調整可能なバイパス回路５８０ｃの例示的な設計である。図６Ｄに示す例示的な設計では、調整可能なバイパス回路５８０ｇは、（ｉ）電力供給源５７０とノードＢとの間に結合された調整可能なキャパシタ５９２ａ、および（ｉｉ）ノードＢと回路接地との間に結合された加減抵抗器５９４ａを含む。
【００３９】
[0049]図６Ｄに示す例示的な設計では、調整可能なキャパシタ５９２ａは、Ｎ個の切り替え可能なキャパシタ６４２ａ〜６４２ｎで実装され、この場合、Ｎは、任意の整数値とすることができる。各切り替え可能なキャパシタ６４２は、スイッチ６４４と直列に結合され、キャパシタ６４２とスイッチ６４４との直列結合は、電力供給源５７０とノードＢとの間に結合される。Ｎ個のスイッチ６４４ａ〜６４４ｎは、それぞれＮ個の制御信号Ｓ1〜ＳNを受信する。各スイッチ６４４は、（ｉ）関連するキャパシタ６４２を選択するために、その制御信号に基づいて閉じられ得る、または（ｉｉ）関連するキャパシタ６４２を非選択にするために、その制御信号に基づいて開かれ得る。Ｎ個のキャパシタ６４２ａ〜６４２ｎは、同じまたは異なる容量値を有し得る。
【００４０】
[0050]図６Ｄに示した例示的な設計では、加減抵抗器５９４ａは、Ｎ個の抵抗器６５２ａ〜６５２ｎで実装される。各抵抗器６５２は、スイッチ６５４と直列に結合され、抵抗器６５２とスイッチ６５４との直列結合は、ノードＢと回路接地との間に結合される。Ｎ個のスイッチ６５４ａ〜６５４ｎは、それぞれＮ個の制御信号Ｒ1〜ＲNを受信する。各スイッチ６５４は、（ｉ）関連する抵抗器６５２を選択するために、その制御信号に基づいて閉じられ得る、または（ｉｉ）関連する抵抗器６５２を非選択にするために、その制御信号に基づいて開かれ得る。Ｎ個の抵抗器６５２ａ〜６５２ｎは、同じまたは異なる抵抗値を有し得る。
【００４１】
[0051]図６Ａ〜図６Ｄは、調整可能なキャパシタおよび加減抵抗器のいくつかの例示的な設計を示す。調整可能なキャパシタは、他の方法で実装することもできる。たとえば、調整可能なキャパシタは、アナログ制御信号に基づいて調整され得る静電容量を有する可変キャパシタ（バラクタ）で実装され得る。別の例として、調整可能なキャパシタは、（図６Ａおよび図６Ｄに示すように並列の代わりに）直列に結合された複数の切り替え可能なキャパシタで実装され得る。加減抵抗器は、他の方法で実装することもできる。たとえば、加減抵抗器は、（図６Ｂおよび図６Ｄに示すように並列の代わりに）直列に結合された複数の抵抗器で実装され得る。
【００４２】
[0052]調整可能なバイパス回路の調整可能な回路要素（たとえば、調整可能なキャパシタまたは加減抵抗器）は、様々な方法で変わり得る。１つの例示的な設計では、調整可能な回路要素は、事前特徴づけに基づいて調整され得る。たとえば、当該の動作シナリオごとに、調整可能な回路要素の異なる可能な値について、電力増幅器の安定性および性能が特徴づけられ得る（たとえば、回路設計位相または製造段階の間）。当該の動作シナリオは、異なる動作周波数、異なる送信電力レベル、異なる無線技術などに対応し得る。許容できる安定性のマージンによって最高の性能を提供することができる調整可能な回路要素の設定は、（たとえば、図２のメモリ２１２内の）ルックアップテーブルに記憶され得る。特徴づけは、コンピュータシミュレーション、研究室測定、工場測定、現場測定などによって実行され得る。その後、現在の動作シナリオのための最高の性能を提供することができる調整可能な回路要素の設定がルックアップテーブルから取り出され、調整可能な回路要素に適用され得る。
【００４３】
[0053]別の例示的な設計では、調整可能なバイパス回路の調整可能な回路要素は、たとえば動作中、動的に調整され得る。たとえば、調整可能な回路要素の異なる可能な設定のために、信号電力など１つまたは複数のパラメータが測定され得る。１つまたは複数のパラメータによって測定される、最高の性能を提供することができる設定が使用のために選択され得る。
【００４４】
[0054]さらに別の例示的な設計では、調整可能なバイパス回路の調整可能な回路要素は、事前特徴づけと動的な調整との組合せに基づいて調整され得る。たとえば、電力増幅器の性能および安定性は、事前に特徴づけられ、現在の動作シナリオのための良好な性能を提供することができる調整可能な回路要素の設定がルックアップテーブルから取り出され、調整可能な回路要素に適用され得る。次いで、調整可能な回路要素は、動作中、（たとえば、選択された設定に対応する公称値のあたりのより狭い範囲内で）動的に調整され得る。調整可能なバイパス回路の調整可能な回路要素は、他の方法でも調整可能である。
【００４５】
[0055]たとえば、図３〜図６Ｄに示すように、電力供給源は、電力増幅器のための固定供給電圧を生成し得る。固定供給電圧は、電力増幅器から増幅ＲＦ信号の予想される最大の信号レベルに基づいて選択され得る。固定供給電圧を使用することは、増幅ＲＦ信号が最大の信号レベルよりも小さいとき、非効率になり得る。
【００４６】
[0056]図７Ａは、電力増幅器７４０のための固定供給電圧の使用の図を示す。電力増幅器７４０からの増幅ＲＦ信号は、時間とともに変化するエンベロープを有しており、プロット７１０によって示されている。供給源７７０は、電力増幅器７４０のための固定供給電圧を生成する。固定供給電圧は、プロット７２０によって示されており、増幅ＲＦ信号のクリッピングを回避するために、増幅ＲＦ信号の最も大きい振幅よりも高い。固定供給電圧と増幅ＲＦ信号のエンベロープとの間の差は、負荷に供給される代わりに、電力増幅器７４０によって放散される無駄になる電力を表す。
【００４７】
[0057]図７Ｂは、エンベロープトラッカ７７２で電力増幅器７４０のための可変供給電圧を生成する図を示す。エンベロープトラッカ７７２は、増幅ＲＦ信号のエンベロープを示すエンベロープ信号を受信し、エンベロープ信号に基づいて電力増幅器７４０のための可変供給電圧を生成する。可変供給電圧は、プロット７３０によって示されており、経時的な増幅ＲＦ信号のエンベロープを密接に追跡する。したがって、可変供給電圧と増幅ＲＦ信号のエンベロープとの間の差は小さく、電力の無駄が少なくなる。電力増幅器７４０の電力付加効率（ＰＡＥ）を向上させるために、電力増幅器７４０は、すべてまたは大部分のエンベロープ振幅の飽和状態で動作することができる。
【００４８】
[0058]別の態様では、エンベロープトラッカに結合された増幅器の性能および安定性を向上させるために、調整可能なバイパス回路がエンベロープトラッカとの組合せで使用され得る。調整可能なバイパス回路は、少なくとも１つの調整可能な回路要素を含むことができ、回路要素は、（ｉ）エンベロープトラッカおよびバイパスキャパシタの誘導性の出力インピーダンスのために共振の共振周波数を変更する、（ｉｉ）共振のＱを変更する、および／または（ｉｉｉ）エンベロープトラッカに接続されている総静電容量を変更するために、変えられ得る。
【００４９】
[0059]図８は、調整可能な供給電圧バイパスを備える送信機８３０の例示的な設計のブロック図を示す。送信機８３０は、電力増幅器８４０と、出力回路８５０と、負荷８６０と、エンベロープトラッカ８７０と、調整可能なバイパス回路８８０とを含む。電力増幅器８４０は、入力ＲＦ信号を受信し、増幅し、増幅ＲＦ信号を供給する。出力回路８５０は、増幅ＲＦ信号を受信し、出力ＲＦ信号を負荷８６０に供給する。電力増幅器８４０は、図２の電力増幅器２４０ａ〜２４０ｍのいずれかとすることができる。エンベロープトラッカ８７０は、電力増幅器８４０のための可変供給電圧を生成する。調整可能なバイパス回路８８０は、エンベロープトラッカ８７０から可変供給電圧のバイパスを実行する。
【００５０】
[0060]図８に示す例示的な設計では、エンベロープトラッカ８７０は、エンベロープ増幅器（Ｅｎｖ  Ａｍｐ）８７２と、ブーストコンバータ８７４と、スイッチャ８７６と、インダクタンスコイル８７８とを含む。ブーストコンバータ８７４は、供給電圧（Ｖｄｄ）を受信し、Ｖｄｄ電圧よりも高いブーストされた供給電圧（Ｖｂｏｏｓｔ）を生成する。エンベロープ増幅器８７２は、その信号入力でエンベロープ信号を受信し、その２つの供給入力でＶｄｄ電圧とＶｂｏｏｓｔ電圧とを受信し、ノードＵで高周波成分を備える第１の供給電流を供給する。エンベロープ信号は、電力増幅器８４０から増幅ＲＦ信号のエンベロープを密接に追跡する。エンベロープ増幅器８７２は、増幅ＲＦ信号が特定の信号レベルを下回ると、Ｖｄｄ電圧に基づいて動作し、増幅ＲＦ信号が特定の信号レベルを超えると、Ｖｂｏｏｓｔ電圧に基づいて動作し得る。エンベロープ増幅器８７２は、エンベロープ追跡（ＥＴ）モジュレータとも呼ばれ得る。
【００５１】
[0061]スイッチャ８７６は、Ｖｄｄ電圧を受信し、ノードＵでＤＣおよび低周波成分を備える第２の供給電流を供給する。スイッチャ８７６は、スイッチモード電源（ＳＭＰＳ）とも呼ばれ得る。インダクタ８７８は、スイッチャ８７６からの電流を格納し、交互のサイクルで、ノードＵに格納された電流を供給する。電力増幅器８４０に供給される全供給電流は、エンベロープ増幅器８７２からの第１の供給電流と、スイッチャ８７６からの第２の供給電流とを含む。また、エンベロープ増幅器８７２は、電力増幅器８４０のノードＵで、適切な供給電圧を供給する。
【００５２】
[0062]図８は、エンベロープトラッカ８７０の例示的な設計を示す。エンベロープトラッカは、他の方法で実装することもできる。たとえば、エンベロープトラッカは、エンベロープ増幅器のみ、またはエンベロープ増幅器とスイッチャ（しかし、ブーストコンバータではない）となどを含むことができる。
【００５３】
[0063]調整可能なバイパス回路８８０は、図５Ａ〜図６Ｄに示す例示的な設計のうちのいずれかに基づいて実装され得る。調整可能なバイパス回路８８０は、他の方法で実装され得る。
【００５４】
[0064]エンベロープトラッカは、電力増幅器による電力消費を低減するために使用され得る。エンベロープトラッカ内のエンベロープ増幅器は、一般的に、線形段階を含む。線形段階の要求される帯域幅は、ワイヤレスデバイスによってサポートされるワイヤレスシステムに依存しており、ＷＣＤＭＡおよびＬＴＥでは数ＭＨｚまたは数十ＭＨｚであり得る。一般に、線形段階の帯域幅は、一般的に、容量性負荷によって制限され、より多くのバイアス電流は、一般的に、より大きい容量性負荷での同じ帯域幅を達成することが必要とされる。容量性負荷は、それはオンチップＲＦの終端を提供するために使用され得るオンチップバイパスキャパシタによって支配され得る。バイパスキャパシタは、電力増幅器の性能を向上させることができる。
【００５５】
[0065]図８に示すように、電力増幅器８４０が１つのみ存在する場合でも、調整可能なバイパス回路８８０がエンベロープトラッカ８７０のために使用され得る。１つの電力増幅器８４０が存在するとき、いくつかの用途でのエンベロープトラッカ８７０を使用することが可能ではない場合がある。たとえば、（ｉ）同じ電力増幅器８４０は、一定のエンベロープと可変のエンベロープの両方の用途のために使用され、一定のエンベロープの用途でエンベロープトラッカ８７０を使用することは必要でない、または（ｉｉ）エンベロープトラッカ８７０は、すべての用途で必要とされる電流の量を提供することができないので、エンベロープトラッカ８７０を使用することが可能ではない場合がある。（ｉ）または（ｉｉ）のためにエンベロープトラッカ８７０が使用されない場合、電力増幅器８４０は、エンベロープトラッカ８７０の代わりに、１次供給源（図８には図示せず）に直接接続され得る。この場合、電力増幅器８４０がエンベロープトラッカ８７０に接続されているか１次供給源に接続されているかに応じて、調整可能なバイパス回路８８０を変える（たとえば、調整可能なバイパスコンデンサを変える）ことが望ましい場合がある。
【００５６】
[0066]複数の電力増幅器は、同じエンベロープトラッカを共有することができる。各電力増幅器は、エンベロープトラッカに結合され、電力増幅器の良好なＲＦ終端を提供するために近くに位置するバイパスキャパシタを有し得る。この場合、複数の電力増幅器のためのすべてのバイパスキャパシタの総静電容量は、許容できるバイアス電流消費量を有するエンベロープ増幅器によって駆動することができる総静電容量を容易に超え得る。この問題はいくつかの方法で対処され得る。１つのソリューションでは、少数の電力増幅器（たとえば、複数の電力増幅器のサブセット）のみに、エンベロープトラッカが使用され、残りの電力増幅器のために、Ｖｄｄ電圧が使用され得る。別のソリューションでは、複数の電力増幅器のために、複数のエンベロープトラッカが使用され、複数の電力増幅器の異なるサブセットのために、各エンベロープトラッカが使用され得る。しかしながら、いずれのソリューションも、すべての電力増幅器のための単一のエンベロープトラッカを使用するほど効率的ではない。
【００５７】
[0067]さらに別の態様では、複数の電力増幅器は、共通の供給接続を共有することができ、共通の供給接続で総バイパスキャパシタンスを低減するために、少なくとも１つの電力増幅器の少なくとも１つのバイパスキャパシタは、共通の供給接続に接続され、または切断され得る。これによって、単一の電力供給源または単一のエンベロープトラッカは、すべての電力増幅器について固定または可変供給電圧を供給することができる。これは、電力供給源またはエンベロープトラッカの回路設計および要件を容易にし得る。
【００５８】
[0068]図９は、共通の供給接続を共有し、調整可能なバイパスキャパシタンスを有する複数の電力増幅器９４０ａ〜９４０ｋを備える送信機９３０の例示的な設計のブロック図を示す。送信機９３０は、それぞれＫ個の出力回路９５０ａ〜９５０ｋに結合されたＫ個の電力増幅器９４０ａ〜９４０ｋを含む。Ｋ個の出力回路９５０ａ〜９５０ｋは、スイッチプレクサ／デュプレクサ９５２にさらに結合され、これはさらにアンテナ９５４に結合される。
【００５９】
[0069]Ｋ個の電力増幅器９４０ａ〜９４０ｋは、共通の供給接続９７２にさらに結合される。エンベロープトラッカ９７０も共通の供給接続９７２に結合され、使用可能にされた／選択された電力増幅器のための可変供給電圧を生成する。Ｋ個の調整可能なバイパス回路９８０ａ〜９８０ｋは、共通の供給接続９７２にも結合され、それぞれ、Ｋ個の電力増幅器９４０ａ〜９４０ｋの近くに位置する。図９に示す例示的な設計では、各調整可能なバイパス回路９８０は、スイッチ９８４と直列に結合されたキャパシタ９８２を含み、キャパシタ９８２とスイッチ９８４との直列結合は、共通の供給接続９７２と回路接地との間に結合されている。
【００６０】
[0070]図９に示す例示的な設計では、各電力増幅器のためのバイパスキャパシタは、そのバイパスキャパシタのための制御信号に基づいて切り替えられ得る。Ｎ個の電力増幅器９４０ａ〜９４０ｋの中の１つまたは複数の電力増幅器は、所与の瞬間において使用可能にされ、オンにされ得る。各使用可能にされた電力増幅器のためのバイパスキャパシタは、共通の供給接続９７２に接続され、他のすべてのバイパスキャパシタは、共通の供給接続から切断され得る。使用不能および未使用の電力増幅器のためのバイパスキャパシタを切断することは、共通の供給接続での総容量性負荷を低減させ得る。
【００６１】
[0071]図９は、共通の供給接続を共有し、調整可能なバイパスキャパシタンスを有する複数の電力増幅器の例示的な設計を示す。電力増幅器は、図９に示すように、可変供給電圧を供給するエンベロープトラッカに結合され得る。代替として、電力増幅器は、固定供給電圧を供給する電力供給源に結合され得る（図９には図示せず）。
【００６２】
[0072]複数の電力増幅器のための調整可能なバイパスキャパシタンスは、他の方法でも実装され得る。別の例示的な設計では、固定バイパスキャパシタは、切り替え可能なバイパスキャパシタと並列に結合され得る。この例示的な設計では、電力増幅器のバイパスキャパシタンスの一部分のみが切り替え可能であり得る。１つの例示的な設計では、スイッチは、図９に示すように、バイパスキャパシタと回路接地との間に結合され得る。別の例示的な設計では、スイッチは、共通供給接続とバイパスキャパシタとの間に結合され得る（図９には図示せず）。
【００６３】
[0073]さらに別の態様では、電力増幅器は、電力供給源による固定供給電圧またはエンベロープトラッカによる可変供給電圧のいずれかを与えられ得る。調整可能なバイパスキャパシタは、電力増幅器のために使用され得る。
【００６４】
[0074]例示的な設計では、装置（たとえば、ワイヤレスデバイス、ＩＣ、回路モジュールなど）は、たとえば、図５Ａ〜図５Ｃに示すように、増幅器と、調整可能なバイパス回路とを備え得る。増幅器（たとえば、図５Ａ〜図５Ｃの電力増幅器５４０）は、供給源から供給電圧を受け取ることができる。増幅器は、入力ＲＦ信号を受信し、増幅ＲＦ信号を供給する電力増幅器を備え得る。調整可能なバイパス回路は、供給源に結合され、供給電圧をバイパス（たとえば、フィルタ処理）することができる。調整可能なバイパス回路は、調整可能なキャパシタまたは加減抵抗器に結合された固定キャパシタのうちの少なくとも１つを備え得る。
【００６５】
[0075]１つの例示的な設計では、供給源は、増幅器のための固定供給電圧を供給する電力供給源（たとえば、図５Ａ〜図５Ｃの電力供給源５７０）を備え得る。別の例示的な設計では、供給源は、増幅器のための可変供給電圧を供給するエンベロープトラッカ（たとえば、図８のエンベロープトラッカ８７０）を備え得る。エンベロープトラッカは、入力ＲＦ信号に対応するエンベロープ信号に基づいて、可変供給電圧を生成し得る。
【００６６】
[0076]例示的な設計では、調整可能なバイパス回路は、供給源と回路接地との間に結合された調整可能なキャパシタ（たとえば、図５Ａのキャパシタ５８２）を備え得る。調整可能なキャパシタは、複数の切り替え可能なキャパシタ（たとえば、図６Ａのキャパシタ６１２）を備え得る。各切り替え可能なキャパシタは、切り替え可能なキャパシタのためのそれぞれの制御信号に基づいて選択または非選択され得る。
【００６７】
[0077]別の例示的な設計では、調整可能なバイパス回路は、供給源と回路接地との間に直列に結合された加減抵抗器（たとえば、図５Ｂの抵抗器５８６）と固定キャパシタ（たとえば、図５Ｂのキャパシタ５８４）とを備え得る。１つの例示的な設計では、加減抵抗器は、複数の切り替え可能な抵抗器（たとえば、図６Ｂの抵抗器６２２）を備え得る。各切り替え可能な抵抗器は、切り替え可能な抵抗器のためのそれぞれの制御信号に基づいて選択または非選択され得る。別の例示的な設計では、加減抵抗器は、複数のトランジスタ（たとえば、図６ＣのＮＭＯＳトランジスタ６３２）を備え得る。各トランジスタは、切り替え可能なトランジスタのためのそれぞれの制御信号に基づいて選択または非選択され得る。各トランジスタは、選択されると、オン抵抗を提供し得る。複数のトランジスタは、異なるサイズを有し、選択されると、異なるオン抵抗を提供し得る。
【００６８】
[0078]さらに別の例示的な設計では、調整可能なバイパス回路は、供給源と回路接地との間に直列に結合された調整可能なキャパシタ（たとえば、図５Ｃのキャパシタ５９２）と加減抵抗器（たとえば、図５Ｃの抵抗器５９４）とを備え得る。調整可能なキャパシタは、複数の切り替え可能なキャパシタ（たとえば、図６Ｄのキャパシタ６４２）を備え得る。各切り替え可能なキャパシタは、切り替え可能なキャパシタのためのそれぞれの第１の制御信号に基づいて選択または非選択され得る。加減抵抗器は、複数の切り替え可能な抵抗器（たとえば、図６Ｄの抵抗器６５２）を備え得る。各切り替え可能な抵抗器は、切り替え可能な抵抗器のためのそれぞれの第２の制御信号に基づいて選択または非選択され得る。
【００６９】
[0079]別の例示的な設計では、装置（たとえば、ワイヤレスデバイス、ＩＣ、回路モジュールなど）は、たとえば、図９に示すように、複数の増幅器と複数の切り替え可能なバイパスキャパシタとを備え得る。複数の増幅器（たとえば、図９の電力増幅器９４０）は、共通の供給接続に結合することができ、共通の供給接続に供給源によって供給される供給電圧を受信することができる。複数の切り替え可能なバイパスキャパシタ（たとえば、図９のキャパシタ９８２）は、共通の供給接続に結合することもでき、複数の増幅器に関連付けられ得る。複数の切り替え可能なバイパスキャパシタの各々は、複数の増幅器のうちの１つに関連付けられ得る。各切り替え可能なバイパスキャパシタは、共通の供給接続に接続され、または切断され得る。例示的な設計では、各切り替え可能なバイパスキャパシタは、（ｉ）関連する増幅器が使用可能にされると、共通の供給接続に接続され得る、または（ｉｉ）関連する増幅器が使用不能にされると、共通の供給接続から切断され得る。
【００７０】
[0080]例示的な設計では、固定バイパスキャパシタは、共通の供給接続に結合されてもよく、複数の増幅器のうちの１つに関連付けられてもよい。一般に、任意の数の切り替え可能なバイパスキャパシタおよび任意の数の固定バイパスキャパシタは、共通の供給接続に結合され得る。各増幅器は、０個以上の切り替え可能なバイパスキャパシタと、０個以上の固定バイパスキャパシタとに関連付けられていてもよい。
【００７１】
[0081]例示的な設計では、供給源は、たとえば、図９に示すように、共通の供給接続に可変供給電圧を供給するエンベロープトラッカを備え得る。別の例示的な設計では、供給源は、共通の供給接続に固定供給電圧を供給する電力供給源を備え得る。供給源は、複数の増幅器の中で使用可能にされる１つまたは複数の増幅器に供給電圧を供給することができる。
【００７２】
[0082]図１０は、増幅器のための供給電圧をバイパスするためのプロセス１０００の例示的な設計を示す。増幅信号を取得するために増幅器（たとえば電力増幅器）を用いて入力信号が増幅され得る（ブロック１０１２）。調整可能なキャパシタと、加減抵抗器に結合された固定キャパシタと、加減抵抗器に結合された調整可能なキャパシタとのうちの少なくとも１つを備える調整可能なバイパス回路により、増幅器のための供給電圧がバイパスされ得る（ブロック１０１４）。
【００７３】
[0083]１つの例示的な設計では、供給源は、固定の供給電圧を生成する電力供給源を備え得る。固定の供給電圧は、増幅器のための供給電圧として供給され得る。別の例示的な設計では、供給源は、たとえば、入力信号のためのエンベロープ信号に基づいて、可変供給電圧を生成するエンベロープトラッカを備え得る。可変供給電圧は、増幅器のための供給電圧として供給され得る。
【００７４】
[0084]本明細書で説明する調整可能なバイパス回路は、ＩＣ、アナログＩＣ、ＲＦＩＣ、混合信号ＩＣ、ＡＳＩＣ、プリント回路板（ＰＣＢ）、電子デバイスなどの上に実装され得る。調整可能なバイパス回路はまた、相補型金属酸化物半導体（ＣＭＯＳ）、ＮＭＯＳ、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）などの様々なＩＣプロセス技術を用いて製作され得る。
【００７５】
[0085]本明細書で説明する調整可能なバイパス回路を実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、携帯電話、ワイヤレスデバイス、ハンドセット、またはモバイルユニット、（ｖｉｉ）その他であり得る。
【００７６】
[0086]１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。同様に、いかなる接続も適切にコンピュータ可読媒体と称される。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク（登録商標）、光ディスク、デジタル多用途ディスク（ＤＶＤ）、フロッピー（登録商標）ディスク、およびブルーレイ（登録商標）ディスクを含む。上記の組合せもコンピュータ可読媒体の範囲内に含まれるべきである。
【００７７】
[0087]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
供給源から供給電圧を受け取るように構成された増幅器と、
前記供給源に結合され、前記供給電圧をバイパスするように構成された調整可能なバイパス回路と、前記調整可能なバイパス回路は、前記調整可能なキャパシタと、加減抵抗器に結合された固定キャパシタとのうちの少なくとも１つを備える、
を備える装置。
［Ｃ２］
前記調整可能なバイパス回路が、前記供給源と回路接地との間に結合された前記調整可能なキャパシタを備える、Ｃ１に記載の装置。
［Ｃ３］
前記調整可能なキャパシタが、複数の切り替え可能なキャパシタを備え、各切り替え可能なキャパシタが、前記切り替え可能なキャパシタのためのそれぞれの制御信号に基づいて選択または非選択される、Ｃ２に記載の装置。
［Ｃ４］
前記調整可能なバイパス回路が、前記供給源と回路接地との間に直列に結合された前記固定キャパシタと前記加減抵抗器とを備える、Ｃ１に記載の装置。
［Ｃ５］
前記加減抵抗器が、複数の切り替え可能な抵抗器を備え、各切り替え可能な抵抗器が、前記切り替え可能な抵抗器のためのそれぞれの制御信号に基づいて選択または非選択される、Ｃ４に記載の装置。
［Ｃ６］
前記加減抵抗器が、複数のトランジスタを備え、各トランジスタが、前記トランジスタのためのそれぞれの制御信号に基づいて選択または非選択され、選択されると各トランジスタがオン抵抗を提供する、Ｃ４に記載の装置。
［Ｃ７］
前記複数のトランジスタが異なるサイズを有し、選択されると、異なるオン抵抗を提供する、Ｃ６に記載の装置。
［Ｃ８］
前記調整可能なバイパス回路が、前記調整可能なキャパシタに結合された加減抵抗器を備える、Ｃ１に記載の装置。
［Ｃ９］
前記調整可能なキャパシタと前記加減抵抗器とが、前記供給源と回路接地との間に直列に結合される、Ｃ８に記載の装置。
［Ｃ１０］
前記調整可能なキャパシタが複数の切り替え可能なキャパシタを備え、各切り替え可能なキャパシタが、前記切り替え可能なキャパシタのためのそれぞれの第１の制御信号に基づいて選択または非選択され、前記加減抵抗器が、複数の切り替え可能な抵抗器を備え、各切り替え可能な抵抗器が、前記切り替え可能な抵抗器のためのそれぞれの第２の制御信号に基づいて選択または非選択される、Ｃ９に記載の装置。
［Ｃ１１］
前記供給源が、前記増幅器のための可変供給電圧を供給するように構成されたエンベロープトラッカを備える、Ｃ１に記載の装置。
［Ｃ１２］
共通の供給接続に結合され、前記共通の供給接続に供給源によって供給される供給電圧を受信するように構成された複数の増幅器と、
前記共通の供給接続に結合され、前記複数の増幅器に関連付けられた複数の切り替え可能なバイパスキャパシタと、前記複数の切り替え可能バイパスキャパシタの各々が前記共通の供給接続に接続され、または切断される、
を備える装置。
［Ｃ１３］
前記供給源が、前記共通の供給接続に可変供給電圧を供給するように構成されたエンベロープトラッカを備える、Ｃ１２に記載の装置。
［Ｃ１４］
前記複数の切り替え可能なバイパスキャパシタの各々が、前記複数の増幅器のうちの１つに関連付けられており、各切り替え可能なバイパスキャパシタが、前記関連する増幅器が使用可能にされると、前記共通の供給接続に接続され、前記関連の増幅器が使用不能にされると、前記共通の供給接続から切断される、Ｃ１２に記載の装置。
［Ｃ１５］
前記共通の供給接続に結合される固定バイパスキャパシタ
をさらに備える、Ｃ１２に記載の装置。
［Ｃ１６］
増幅信号を取得するために増幅器により入力信号を増幅することと、
調整可能なキャパシタ、または加減抵抗器に結合された固定キャパシタのうちの少なくとも１つを備える調整可能なバイパス回路により、前記増幅器のための供給電圧をバイパスすることと
を備える方法。
［Ｃ１７］
前記供給源としてエンベロープトラッカで可変供給電圧を生成することと、
前記可変供給電圧を前記増幅器のための前記供給電圧として供給することと
をさらに備える、Ｃ１６に記載の方法。
［Ｃ１８］
増幅信号を取得するために入力信号を増幅するための手段と、
前記増幅するための前記手段のための供給電圧をバイパスするための手段と、前記バイパスするための手段は、調整可能なキャパシタ、または加減抵抗器に結合された固定キャパシタのうちの少なくとも１つを備える、
を備える装置。
［Ｃ１９］
前記供給源として可変供給電圧を生成するための手段と、
前記可変供給電圧を前記増幅器のための前記供給電圧として供給するための手段と
をさらに備える、Ｃ１８に記載の装置。
【図１】
0005859685.tif 000004
【図２】
0005859685.tif 000005
【図３】
0005859685.tif 000006
【図４】
0005859685.tif 000007
【図５Ａ】
0005859685.tif 000008
【図５Ｂ】
0005859685.tif 000009
【図５Ｃ】
0005859685.tif 000010
【図６Ａ】
0005859685.tif 000011
【図６Ｂ】
0005859685.tif 000012
【図６Ｃ】
0005859685.tif 000013
【図６Ｄ】
0005859685.tif 000014
【図８】
0005859685.tif 000015
【図９】
0005859685.tif 000016
【図１０】
0005859685.tif 000017
【図７Ａ】
0005859685.tif 000018
【図７Ｂ】
0005859685.tif 000019